(57)【要約】【課題】メガネ照明構造の提供。【解決手段】本体、クリップを含む。該本体は前方に発光素子を設置し、該本体内部には該発光素子に連接する電池を設置し、該本体の側辺にはそれぞれ突点を設置する。該クリップには定位部品、該定位部品と可動接続し、或いは該定位部品から延伸し、しかも弾性を備える嵌合部品を設置する。これにより該クリップを該本体に組合せると、メガネ照明構造を構成し、該クリップによりメガネの中央位置に挟持し、照明効果を達成する。該定位部品は突起により該本体の突点に嵌設され、該本体の上下角度の調整を構成することができ、或いは該定位部品は係合片により該本体において嵌合され、固定角度の照明を構成する。【選択図】図２
0003140809.tif 000002
【実用新案登録請求の範囲】
【請求項１】
本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には台体を設置し、該台体両側より前方へと２個の突起を延伸し、下方へと固定棒を延伸し、該台体には嵌槽を設置し、該嵌合部品には湾折状の２個の挟棒を設置し、該２個の挟棒は弾き片に連接し、該２個の挟棒の端部にはバネを嵌設し、該台体の嵌槽に嵌設し、こうして該バネにより該固定棒において緊密に挟持し、該クリップは該突起により該本体の突点に嵌設され本体に組み合わされ、該挟棒及び該固定棒のによりメガネに挟持され、照明作用を達成し、本体の上下角度の調整を構成可能であることを特徴とするメガネ照明構造。
【請求項２】
本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には固定片を設置し、該固定片前縁両側において前方へと２個の突起を延伸し、後縁には可動接続棒を設置し、該嵌合部品には弾き片を設置し、該弾き片において、固定片の可動接続棒に対応する連接棒を設置し、これにより該連接棒と該可動接続棒は重なり設置され、固定栓により該連接棒と該可動接続棒、及びバネを穿設し、該バネにより該弾き片は固定片を緊密に挟持し、こうして該クリップを突起により該本体の突点に嵌設させ、該本体に組合せ後、該弾き片及び該固定片によりメガネを挟持し、こうして照明作用を達成し、しかも該本体の上下角度の調整を構成可能であることを特徴とするメガネ照明構造。
【請求項３】
前記固定片前縁には多数の係合片を設置し、該係合片により本体に嵌設後、本体に組合せ、該弾き片及び該固定片によりメガネを挟持し、こうして固定照明作用を達成することを特徴とする請求項２記載のメガネ照明構造。
【請求項４】
本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には固定片を設置し、該固定片前縁両側において前方へと２個の突起を延伸し、該嵌合部品は該固定片上縁より湾折後、下方へ延伸し援護状の片体を形成し、湾折した片体は適当な弾性を構成し、該片体は固定片において緊密に挟持し、これにより該クリップを突起により該本体の突点に嵌設させ、該本体に組合せ後、該片体及び該固定片によりメガネを挟持し、こうして照明作用を達成し、しかも該本体の上下角度の調整を構成可能であることを特徴とするメガネ照明構造。
【請求項５】
前記固定片前縁には多数の係合片を設置し、該クリップは該係合片により本体後縁に嵌設され本体に組み合わされ、該弾き片及び該固定片によりメガネを挟持し、こうして固定照明作用を達成することを特徴とする請求項４記載のメガネ照明構造。
【請求項６】
本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には固定片を設置し、該固定片前縁両側において前方へと２個の突起を延伸し、該嵌合部品は２個の挟片で、該２個の挟片は前片体により形成され、該前片体は上縁より湾折後、下方へと延伸し円弧状の後片体を呈し、こうして該２個の挟片は該固定片両端に連接し、湾折した後片体により適当な弾性を構成し、該後片体は前片体において緊密に挟持し、該クリップを突起により該本体の突点に嵌設させ、該本体に組合せ後、該前片体及び該後片体によりメガネを挟持し、こうして照明作用を達成し、しかも該本体の上下角度の調整を構成可能であることを特徴とするメガネ照明構造。
【請求項７】
前記固定片前縁には多数の係合片を設置し、該クリップは該係合片により本体後縁に嵌設され本体に組み合わされ、該弾き片及び該固定片によりメガネを挟持し、こうして固定照明作用を達成することを特徴とする請求項６記載のメガネ照明構造。
【考案の詳細な説明】
【技術分野】
【０００１】
本考案はメガネ照明構造に関する。特にメガネに挟持することができ、光線が薄暗い中で作業をする時には照明効果を有し、しかも使用の利便性が高く、取り付け取り外しが容易であるメガネ照明構造に係る。
【背景技術】
【０００２】
一般に薄暗い中で作業をする時には、懐中電灯により照明を構成する他、通常は移動可能なランプを固定の位置に置き、作業範囲に照明を与える。しかし、懐中電灯を照明とする時には、手で持ち、残りの一方の手で作業を行わなければならないため、非常に不便で、作業の効率に悪影響を及ぼす。ランプを固定の位置に置く方式であれば、両手を空けることはできるが、照明の範囲が固定されるため、作業内容の転換に従い、ランプの証明角度を絶えず調整しなければならず、作業場の困難を招く。本考案者はこの点に鑑み、当業務における多年にわたる従事経験を基礎に、絶えず研究、実験を積み重ね、上記欠点に対して改良を加えた。これにより薄暗がりでの作業時に照明効果を構成し、しかも使用が便利で、取り付け取り外しが容易である。
【考案の開示】
【考案が解決しようとする課題】
【０００３】
本考案が解決しようとする課題は、照明構造はメガネに挟持可能で、薄暗がりでの作業時に照明効果を構成し、両手を空けて作業を行うことができ、しかも使用が便利で、取り付け取り外しが容易であるメガネ照明構造を提供することである。
【０００４】
上記課題を解決するため、本考案は下記のメガネ照明構造を提供する。
本体、クリップを含み、
該本体は前方に発光素子を設置し、該本体内部には該発光素子に連接する電池を設置し、該本体の側辺にはそれぞれ突点を設置し、
該クリップには定位部品、該定位部品と可動接続し、或いは該定位部品から延伸し、しかも弾性を備える嵌合部品を設置する。
【０００５】
これにより該クリップを該本体に組合せると、メガネ照明構造を構成し、該クリップによりメガネの中央位置に挟持し、照明効果を達成し、
該定位部品は突起により該本体の突点に嵌設され、該本体の上下角度の調整を構成することができ、或いは該定位部品は係合片により該本体において嵌合され、固定角度の照明を構成する。
【０００６】
該メガネ照明構造の該クリップの定位部品には台体を設置し、該台体両側より下方へと固定棒を延伸し、該台体には嵌槽を設置し、該嵌合部品には湾折状の２個の挟棒を設置し、該２個の挟棒は弾き片に連接し、該２個の挟棒の端部にはバネを嵌設し、該台体の嵌槽に嵌設し、こうして該バネにより該固定棒において緊密に挟持し、メガネにおいて挟持することができ、
該メガネ照明構造の該クリップの定位部品には固定片を設置し、該固定片後縁には可動接続棒を設置し、該嵌合部品は弾き片で、該弾き片において固定片の可動接続棒に対応する連接棒を設置し、こうして該連接棒と該可動接続棒は重なり、固定栓により該連接棒と該可動接続棒及びバネを穿設し、該バネにより該弾き片は該固定片において緊密に挟持され、メガネにおいて挟持することができる。
【０００７】
該メガネ照明構造の該クリップの定位部品には固定片を設置し、該嵌合部品は該固定片上縁より湾折後、下方へと延伸し円弧状の片体を呈し、これにより湾折した片体は適当な弾性を構成し、該片体は固定片において緊密に挟持し、メガネにおいて挟持することができ、
該メガネ照明構造の該クリップの定位部品には固定片を設置し、該嵌合部品は２個の挟棒で、該２個の挟棒は前片体により形成され、該前片体は上縁より湾折後、下方へと延伸し円弧状の後片体を呈し、こうして該２個の挟片は該固定片両端に連接し、湾折した後片体により適当な弾性を構成し、該後片体は前片体において緊密に挟持し、メガネにおいて挟持することができる。
【課題を解決するための手段】
【０００８】
請求項１の考案は、本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には台体を設置し、該台体両側より前方へと２個の突起を延伸し、下方へと固定棒を延伸し、該台体には嵌槽を設置し、該嵌合部品には湾折状の２個の挟棒を設置し、該２個の挟棒は弾き片に連接し、該２個の挟棒の端部にはバネを嵌設し、該台体の嵌槽に嵌設し、こうして該バネにより該固定棒において緊密に挟持し、該クリップは該突起により該本体の突点に嵌設され本体に組み合わされ、該挟棒及び該固定棒のによりメガネに挟持され、照明作用を達成し、本体の上下角度の調整を構成可能であることを特徴とするメガネ照明構造としている。
請求項２の考案は、本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には固定片を設置し、該固定片前縁両側において前方へと２個の突起を延伸し、後縁には可動接続棒を設置し、該嵌合部品には弾き片を設置し、該弾き片において、固定片の可動接続棒に対応する連接棒を設置し、これにより該連接棒と該可動接続棒は重なり設置され、固定栓により該連接棒と該可動接続棒、及びバネを穿設し、該バネにより該弾き片は固定片を緊密に挟持し、こうして該クリップを突起により該本体の突点に嵌設させ、該本体に組合せ後、該弾き片及び該固定片によりメガネを挟持し、こうして照明作用を達成し、しかも該本体の上下角度の調整を構成可能であることを特徴とするメガネ照明構造としている。
請求項３の考案は、前記固定片前縁には多数の係合片を設置し、該係合片により本体に嵌設後、本体に組合せ、該弾き片及び該固定片によりメガネを挟持し、こうして固定照明作用を達成することを特徴とする請求項２記載のメガネ照明構造としている。
請求項４の考案は、本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には固定片を設置し、該固定片前縁両側において前方へと２個の突起を延伸し、該嵌合部品は該固定片上縁より湾折後、下方へ延伸し援護状の片体を形成し、湾折した片体は適当な弾性を構成し、該片体は固定片において緊密に挟持し、これにより該クリップを突起により該本体の突点に嵌設させ、該本体に組合せ後、該片体及び該固定片によりメガネを挟持し、こうして照明作用を達成し、しかも該本体の上下角度の調整を構成可能であることを特徴とするメガネ照明構造としている。
請求項５の考案は、前記固定片前縁には多数の係合片を設置し、該クリップは該係合片により本体後縁に嵌設され本体に組み合わされ、該弾き片及び該固定片によりメガネを挟持し、こうして固定照明作用を達成することを特徴とする請求項４記載のメガネ照明構造としている。
請求項６の考案は、本体、クリップを含み、
該本体は前方に発光素子を設置し、内部には該発光素子に連接する電池を設置し、該本体の側辺にはそれぞれ突点を設置し、
該クリップは定位部品、嵌合部品を含み、該定位部品には固定片を設置し、該固定片前縁両側において前方へと２個の突起を延伸し、該嵌合部品は２個の挟片で、該２個の挟片は前片体により形成され、該前片体は上縁より湾折後、下方へと延伸し円弧状の後片体を呈し、こうして該２個の挟片は該固定片両端に連接し、湾折した後片体により適当な弾性を構成し、該後片体は前片体において緊密に挟持し、該クリップを突起により該本体の突点に嵌設させ、該本体に組合せ後、該前片体及び該後片体によりメガネを挟持し、こうして照明作用を達成し、しかも該本体の上下角度の調整を構成可能であることを特徴とするメガネ照明構造としている。
請求項７の考案は、前記固定片前縁には多数の係合片を設置し、該クリップは該係合片により本体後縁に嵌設され本体に組み合わされ、該弾き片及び該固定片によりメガネを挟持し、こうして固定照明作用を達成することを特徴とする請求項６記載のメガネ照明構造としている。
【考案の効果】
【０００９】
上記のように、本考案は発光素子を設置する本体に、該本体に組み合わせるクリップを対応させ、メガネ照明構造を構成し、これにより照明構造はメガネに挟持され、薄暗がりでの作業時に照明効果を構成し、両手を使って作業を行うことができるようになる。
【考案を実施するための最良の形態】
【００１０】
図１、２、３に示すように、本考案は主に本体１０、クリップ２０を含む。
該本体１０は前方に発光素子１０１を設置し、該本体１０内部には該発光素子１０１に連接する電池を設置する。該本体１０の側辺にはそれぞれ突点１０２を設置する。
該クリップ２０には定位部品１、該定位部品１と可動接続し、或いは該定位部品１から延伸し、しかも弾性を備える嵌合部品２を設置する。これにより該クリップ２０を該本体１０に組合せると、メガネ照明構造を構成し、該クリップ２０によりメガネ３の中央位置に挟持し、照明効果を達成する。
本考案の第一実施例では、該クリップ２０の定位部品１は台体１１を設置する。該台体１１の両側は前方へと突起１２を延伸し、下方へと固定棒１３を延伸する。該台体１１には嵌槽１４を設置する。該嵌合部品２には湾折状の２個の挟棒２１を設置し、該２個の挟棒２１には弾き片２２を連接する。これにより該２個の挟棒２１の端部にはバネ２３を嵌め、該台体１１の嵌槽１４に嵌設する。こうして該バネ２３により該挟棒２１は該固定棒１３において緊密に挟持され、該クリップ２０は該突起１２により該本体１０の突点１０２に嵌設され該本体１０に組み合わされ、該挟棒２１と該固定棒１３によりメガネ３において挟持し、照明作用を達成し、しかも該本体１０の上下角度の調整を構成することができる。
【００１１】
図４、５、６に示すように、本考案の第二実施例では、該クリップ２０の定位部品１は固定片３１を設置する。該固定片３１前縁両側において前方へと２個の突起３２を延伸し、後縁には可動接続棒３３を設置する。該嵌合部品２には弾き片３４を設置し、該弾き片３４において、固定片３１可動接続棒３３に対応する連接棒３５を設置する。これにより該連接棒３５と該可動接続棒３３は重なり設置され、固定栓３６により該連接棒３５と該可動接続棒３３、及びバネ３７を穿設し、該バネ３７により該弾き片３４は固定片３１を緊密に挟持する。こうして該クリップ２０を突起３２により該本体１０の突点１０２に嵌設させ、該本体１０に組合せ後、該弾き片３４及び該固定片３１によりメガネ３を挟持する。こうして照明作用を達成し、しかも該本体１０の上下角度の調整を構成する。
【００１２】
図７、８、９に示すように、本考案の第三実施例では、該クリップ２０の定位部品１には固定片４１を設置する。該固定片４１の前縁両端は前方へと２個の突起４２が延伸し、該嵌合部品２は該固定片４１上縁より湾折後、下方へと延伸し円弧状の片体４３を呈する。これにより湾折した片体４３は適当な弾性を構成し、該片体４３は固定片において緊密に挟持し、該クリップ２０を突起４２により該本体１０の突点１０２に嵌設させ、該本体１０に組合せ後、該片体４３及び該固定片４１によりメガネ３を挟持する。こうして照明作用を達成し、しかも該本体１０の上下角度の調整を構成する。
【００１３】
図１０、１１、１２に示すように、本考案の第四実施例では、該クリップ２０の定位部品１には固定片５１を設置する。該固定片５１の前縁両端は前方へと２個の突起５２が延伸し、該嵌合部品は２個の挟片で、該２個の挟片は前片体５３により形成され、該前片体５３は上縁より湾折後、下方へと延伸し円弧状の後片体５４を呈する。こうして該２個の挟片は該固定片５１両端に連接し、湾折した後片体５４により適当な弾性を構成し、該後片体５４は前片体において緊密に挟持し、該クリップ２０を突起５２により該本体１０の突点１０２に嵌設させ、該本体１０に組合せ後、該前片体５３及び該後片体５４によりメガネ３を挟持する。こうして照明作用を達成し、しかも該本体１０の上下角度の調整を構成する。
【００１４】
図１３、１４に示すように、本考案の第五実施例では、該クリップ２０の定位部品１には固定片３１を設置する。該固定片３１前縁には多数の係合片３０を設置し、後縁には可動接続棒３３を設置する。該嵌合部品２は弾き片３４で、該弾き片３４には固定片３１の可動接続棒３３に対応する連接棒３５を設置する。これにより該連接棒３５と該可動接続棒３３は重なり、固定栓３６により該連接棒３５と該可動接続棒３３及びバネ３７を穿設し、該バネ３７により該弾き片３４は該固定片３１において緊密に挟持され、該クリップ２０を係合片３０により該本体１０後縁に嵌設し該本体１０に組合せ後、該弾き片３４及び該固定片３１によりメガネを挟持する。こうして固定照明作用を達成する。
【００１５】
図１５、１６に示すように、本考案の第六実施例では、該クリップ２０の定位部品１には固定片４１を設置する。該固定片４１前縁には多数の係合片４０を設置する。該嵌合部品２は該固定片４１上縁より湾折後、下方へと延伸し円弧状の片体４３を呈する。これにより湾折した片体４３は適当な弾性を構成し、該片体４３は固定片において緊密に挟持し、該クリップ２０を係合片３０により該本体１０後縁に嵌設し該本体１０に組合せ後、片体４３及び該固定片４１によりメガネを挟持する。こうして固定照明作用を達成する。
【００１６】
図１７、１８に示すように、本考案の第七実施例では、該クリップ２０の定位部品１には固定片５１を設置する。該固定片５１前縁には多数の係合片５０を設置する。該嵌合部品２は２個の挟片で、該２個の挟片は前片体５３により形成され、該前片体５３は上縁より湾折後、下方へと延伸し円弧状の後片体５４を呈する。こうして該２個の挟片は該固定片５１両端に連接し、湾折した後片体５４により適当な弾性を構成し、該後片体は前片体において緊密に挟持し、該クリップ２０を係合片５０により該本体１０後縁に嵌設し該本体１０に組合せ後、該前片体５３及び該後片体５４によりメガネを挟持する。こうして固定照明作用を達成する。
【００１７】
本考案の諸実施例は、メガネに挟持する説明であるが、本考案の構造は帽子、襟、ポケット、袖、ベルト、バッグ、自転車、自動車、運動器材、作業器具、教育器材、台所器材などに挟持することができ、これら場合にも同様に照明の効果を達成することができる。例えば、夜間の釣りの時には両手を用い釣り餌の処理を行うことができ、非常に便利である。これら本構造を応用し延伸する各実施例はすべて、本考案の精神範疇に含まれるものとする。
【００１８】
上記のように、本考案は発光素子を設置する本体に、該本体に組み合わせるクリップを対応させ、メガネ照明構造を構成し、これにより照明構造はメガネに挟持され、薄暗がりでの作業時に照明効果を構成し、両手を使って作業を行うことができるようになる。しかも使用の利便性が高く、取り付け取り外しが容易で、実用的な設計で、新規性を備える考案である。
【図面の簡単な説明】
【００１９】
【図１】本考案第一実施例の立体分解図である。
【図２】本考案第一実施例の立体図である。
【図３】本考案第一実施例の使用状態図である。
【図４】本考案第二実施例の立体分解図である。
【図５】本考案第二実施例の立体図である。
【図６】本考案第二実施例の使用状態図である。
【図７】本考案第三実施例の立体分解図である。
【図８】本考案第三実施例の立体図である。
【図９】本考案第三実施例の使用状態図である。
【図１０】本考案第四実施例の立体分解図である。
【図１１】本考案第四実施例の立体図である。
【図１２】本考案第四実施例の使用状態図である。
【図１３】本考案第五実施例の立体分解図である。
【図１４】本考案第五実施例の立体図である。
【図１５】本考案第六実施例の立体分解図である。
【図１６】本考案第六実施例の立体図である。
【図１７】本考案第七実施例の立体分解図である。
【図１８】本考案第七実施例の立体図である。
【符号の説明】
【００２０】
１  定位部品
１０  本体
１０１  発光素子
１０２  突点
１１  台体
１２  突起
１３  固定棒
１４  嵌槽
２  嵌合部品
２０  クリップ
２１  挟棒
２２  弾き片
２３  バネ
３  メガネ
３０  係合片
３１  固定片
３２  突起
３３  可動接続棒
３４  弾き片
３５  連接棒
３６  固定栓
３７  バネ
４０  係合片
４１  固定片
４２  突起
４３  片体
５０  係合片
５１  固定片
５２  突起
５３  前片体
５４  後片体
【図１】
0003140809.tif 000003
【図２】
0003140809.tif 000004
【図３】
0003140809.tif 000005
【図４】
0003140809.tif 000006
【図５】
0003140809.tif 000007
【図６】
0003140809.tif 000008
【図７】
0003140809.tif 000009
【図８】
0003140809.tif 000010
【図９】
0003140809.tif 000011
【図１０】
0003140809.tif 000012
【図１１】
0003140809.tif 000013
【図１２】
0003140809.tif 000014
【図１３】
0003140809.tif 000015
【図１４】
0003140809.tif 000016
【図１５】
0003140809.tif 000017
【図１６】
0003140809.tif 000018
【図１７】
0003140809.tif 000019
【図１８】
0003140809.tif 000020